(57)【要約】【課題】１つの超音波センサによりシートの重送と坪量とを検知する重送検知装置を提供する。【解決手段】重送検知装置は、シートを搬送する搬送経路１３０の方向へ超音波を発信する超音波発信センサＴ１と、搬送経路１３０を挟んで超音波発信センサＴ１に対向する位置に設けられ、超音波発信センサＴ１の発信する超音波を受信して、該超音波に応じた超音波受信信号を出力する超音波受信センサＴ２と、からなる超音波センサ２０００を備える。重送検知装置は、シートの重送を検知する場合とシートの坪量を検知する場合とで、異なる強度の超音波を超音波発信センサＴ１に発信させ、重送を検知する場合の超音波に応じた超音波受信信号によりシートの重送を検知し、坪量を検知する場合の超音波に応じた超音波受信信号によりシートの坪量を検知する制御ユニット１０を備える。【選択図】図２
2019059606.tif 000002
【特許請求の範囲】
【請求項１】
シートを搬送経路に搬送する搬送手段と、
前記搬送経路の方向へ超音波を発信する超音波発信手段と、
前記搬送経路を挟んで前記超音波発信手段に対向する位置に設けられ、前記超音波発信手段の発信する前記超音波を受信して、該超音波に応じた超音波受信信号を出力する超音波受信手段と、
前記搬送手段により搬送されるシートの重送を検知する場合と前記シートのシート特性を検知する場合とで、異なる強度の超音波を前記超音波発信手段に発信させ、前記シートの重送を検知する場合の超音波に応じた超音波受信信号により前記シートの重送を検知し、前記シート特性を検知する場合の超音波に応じた超音波受信信号により前記シート特性を検知する制御手段と、を備えることを特徴とする、
重送検知装置。
【請求項２】
前記制御手段は、前記シートの重送を検知する場合の前記超音波の強度を、前記シート特性を検知する場合の前記超音波の強度より高くして、前記超音波発信手段に前記超音波を発信させることを特徴とする、
請求項１記載の重送検知装置。
【請求項３】
前記制御手段は、前記シートの重送を検知する場合に所定の波数のバースト波に応じた強度の超音波を前記超音波発信手段に発信させ、前記シート特性を検知する場合に前記所定の波数よりも少ないバースト波に応じた強度の超音波を前記超音波発信手段に発信させることを特徴とする、
請求項１又は２記載の重送検知装置。
【請求項４】
前記制御手段は、前記シートが重送されていない場合に、前記シート特性を検知するための超音波を前記超音波発信手段に発信させることを特徴とする、
請求項１〜３のずれか１項記載の重送検知装置。
【請求項５】
前記制御手段は、前記シートの重送の検知と前記シート特性の検知を交互に行うことを特徴とする、
請求項１〜４のいずれか１項記載の重送検知装置。
【請求項６】
前記制御手段は、前記超音波発信手段から発信された超音波による残響の影響が一定レベル以下になるまでの時間に応じて、前記超音波発信手段に次の超音波を発信させることを特徴とする、
請求項１〜５のいずれか１項記載の重送検知装置。
【請求項７】
前記制御手段は、前記シートが前記搬送経路に搬送されていない状態で前記超音波発信手段が発信した前記超音波に応じた超音波受信信号を前記超音波受信手段から取得し、取得した前記超音波受信信号に応じて、前記シートの重送を判定するための閾値を設定し、前記閾値に応じて前記シートの重送を検知することを特徴とする、
請求項１〜６のいずれか１項記載の重送検知装置。
【請求項８】
前記超音波受信信号と前記シート特性との関係を予め格納する格納手段をさらに備えており、
前記制御手段は、前記格納手段に格納された前記超音波受信信号と前記シート特性との関係を参照して、取得した前記超音波受信信号に応じた前記シート特性を検知することを特徴とする、
請求項１〜７のいずれか１項記載の重送検知装置。
【請求項９】
前記制御手段は、前記シートの重送を検知すると、前記搬送手段に前記シートの搬送を停止させることを特徴とする、
請求項１〜８のいずれか１項記載の重送検知装置。
【請求項１０】
前記制御手段は、前記シート特性としてシートの坪量を検知することを特徴とする、
請求項１〜９のいずれか１項記載の重送検知装置。
【請求項１１】
請求項１〜１０のいずれか１項に記載の重送検知装置と、
搬送経路を搬送されるシートの画像を読み取り、読み取った画像を表す画像データを出力するリーダ手段と、を備えることを特徴とする、
画像読取装置。
【請求項１２】
シートを搬送経路に搬送する搬送手段と、前記搬送経路の方向へ超音波を発信する超音波発信手段と、前記搬送経路を挟んで前記超音波発信手段に対向する位置に設けられ、前記超音波発信手段の発信する前記超音波を受信して、該超音波に応じた超音波受信信号を出力する超音波受信手段と、を備えた装置により実行される方法であって、
前記搬送手段により搬送されるシートの重送を検知する場合と前記シートのシート特性を検知する場合とで、異なる強度の超音波を前記超音波発信手段に発信させ、
前記シートの重送を検知する場合の超音波に応じた超音波受信信号により前記シートの重送を検知し、
前記シート特性を検知する場合の超音波に応じた超音波受信信号により前記シート特性を検知することを特徴とする、
重送検知方法。
【発明の詳細な説明】
【技術分野】
【０００１】
本発明は、例えば用紙等のシートの搬送時に複数枚のシートが重なって搬送される重送を検知する重送検知技術及び搬送されるシートの坪量等のシート特性を検知するシート特性検知技術に関する。
【背景技術】
【０００２】
シートの重送を検知するためのセンサとして超音波センサが用いられている。超音波センサは、超音波を発信する超音波発信センサと、超音波を受信する超音波受信センサとを備える。超音波受信センサは、受信した超音波の強度に応じた信号レベルの出力信号を出力する。出力信号の信号レベルにより、シートの重送が検知される。例えば、シートが重送されている場合、重なったシートの間の空気層によって超音波が減衰されることで超音波受信センサが受信する超音波の強度が弱くなり、重送されない場合よりも出力信号の信号レベルが低い値となる。また、超音波センサは、シートの坪量検知に用いることができる。特許文献１には、１つの超音波センサをシートの重送検知と坪量検知とに用いる技術が開示される。この超音波センサは、重送検知と坪量検知とで、異なる周波数で超音波を発信する。
【先行技術文献】
【特許文献】
【０００３】
【特許文献１】特開２０１１−３７５２４号公報
【発明の概要】
【発明が解決しようとする課題】
【０００４】
超音波センサは、超音波の残響の影響を考慮する必要がある。残響とは、超音波発信センサから放出された超音波が反射により周囲の空間に残り続けることである。超音波受信センサは、残響の影響を含む出力信号を出力することになる。１つの超音波センサで重送検知及び坪量検知を行う場合、重送検知に引き続き坪量検知が行われる。そのために重送検知時に発信される超音波の残響が、坪量検知時に影響しないように考慮する必要がある。
【０００５】
重送検知は、超音波受信センサから出力される出力信号が一定レベル以下か否かにより判定される。坪量検知は、出力信号の信号レベルにより判定される。そのために、重送検知用として出力される出力信号により坪量検知を行うと、以下のような問題が生じる。坪量が低いシートの場合、重送検知を行うときと同じエネルギー（強度）の超音波では、出力信号の信号レベルが飽和することがある。その結果、薄いシートの坪量が検知できないことになる。
【０００６】
以上のような制約下で重送検知装置は、素早くシートの重送を検知して、シートの搬送を停止させる必要がある。シートの重送には、大きく２つのタイプがある。一つは複数枚のシートが完全に重なった完全重送である。もう一つは、シートの一部が重なった連れ重送である。連れ重送では、シートの搬送方向に対して、先行紙の後端部と後続紙の先端部とが重なった状態で搬送される。重送検知では、連れ重送も検知する必要がある。そのために超音波センサは、シートが重なった部分に確実に超音波が当たるように、断続的に超音波を印加し続ける必要がある。坪量検知は、搬送されるシートの坪量を検知し、その検知結果を素早くフィードバックすることでシートに最適の搬送制御や画像読取時の光量制御を可能とする。
【０００７】
１つの超音波センサで重送検知と坪量検知とを行い、且つ連れ重送を検知するという２つの条件を満たすために、重送検知装置は、重送検知と坪量検知とを交互に繰り返し行う必要がある。しかし、重送検知と坪量検知とを交互に繰り返し行う場合、重送検知用の超音波の印加間隔が長くなり、連れ重送が検知できなくなる可能性がある。
【０００８】
本発明は、上記の問題に鑑み、１つの超音波センサによりシートの重送と坪量等のシート特性とを効率よく確実に検知することができる重送検知装置を提供することを主たる課題とする。
【課題を解決するための手段】
【０００９】
本発明の重送検知装置は、シートを搬送経路に搬送する搬送手段と、前記搬送経路の方向へ超音波を発信する超音波発信手段と、前記搬送経路を挟んで前記超音波発信手段に対向する位置に設けられ、前記超音波発信手段の発信する前記超音波を受信して、該超音波に応じた超音波受信信号を出力する超音波受信手段と、前記搬送手段により搬送されるシートの重送を検知する場合と前記シートのシート特性を検知する場合とで、異なる強度の超音波を前記超音波発信手段に発信させ、前記シートの重送を検知する場合の超音波に応じた超音波受信信号により前記シートの重送を検知し、前記シート特性を検知する場合の超音波に応じた超音波受信信号により前記シート特性を検知する制御手段と、を備えることを特徴とする。
【発明の効果】
【００１０】
本発明によれば、重送を検知する場合とシート特性を検知する場合とで超音波の強度を変更することで、１つの超音波センサによりシートの重送と坪量等のシート特性とを効率よく確実に検知することができる。
【図面の簡単な説明】
【００１１】
【図１】画像読取装置の構成図。
【図２】制御ユニットの構成図。
【図３】超音波センサの説明図。
【図４】（ａ）〜（ｃ）は重送検知の説明図。
【図５】超音波受信信号の処理の説明図。
【図６】超音波受信信号の振幅算出処理の説明図。
【図７】バースト波の波数と超音波受信信号の信号レベルの関係説明図。
【図８】（ａ）、（ｂ）は超音波パルス信号の波数と残響の関係の説明図。
【図９】重送検知時と坪量検知時の超音波受信信号の信号レベルの例示図。
【図１０】（ａ）〜（ｃ）は重送検知と坪量検知のタイミングの説明図。
【図１１】坪量検知のためのテーブルの例示図。
【図１２】重送及び坪量の検知処理を表すフローチャート。
【発明を実施するための形態】
【００１２】
本発明の重送検知装置を採用した画像読取装置の実施形態について、図面を参照しながら説明する。
【００１３】
（全体構成）
図１は、本実施形態の重送検知装置を備えた画像読取装置の構成図である。画像読取装置１は、自動原稿搬送部１００と、リーダ部１１５とを備える。重送検知装置を構成する超音波センサ２０００は、自動原稿搬送部１００に設けられる。
【００１４】
自動原稿搬送部１００は、原稿トレイ１０１と、各種ローラ及びセンサが設けられる搬送経路１３０と、排紙トレイ１１４とを備える。自動原稿搬送部１００は、原稿トレイ１０１に載置される用紙等のシートである原稿１０２を、搬送経路１３０の途中に設けられる原稿画像の読取位置を通過させて、排紙トレイ１１４に排出する。
【００１５】
原稿トレイ１０１は、原稿１０２の搬送方向の下流側（以下、単に「下流側」という。）にトレイ原稿有無センサＳ１を備える。トレイ原稿有無センサＳ１は、原稿トレイ１０１の給紙可能な位置に載置される原稿１０２の有無を検知する。
【００１６】
原稿トレイ１０１の下流側の搬送経路１３０には、原稿１０２の搬送方向の上流側（以下、単に「上流側」という。）から順に、給紙ローラ１０３と、分離搬送ローラ１０４及び分離搬送従動ローラ１０５と、が設けられる。給紙ローラ１０３と分離搬送ローラ１０４とは、同一駆動源により駆動される。分離搬送従動ローラ１０５は、分離搬送ローラ１０４の回転に従動して回転する。給紙ローラ１０３と、分離搬送ローラ１０４及び分離搬送従動ローラ１０５とは、原稿トレイ１０１から原稿１０２を１枚ずつ搬送経路１３０に取り込んで搬送する。
【００１７】
給紙ローラ１０３は、不図示のアームに支軸されており、アームの揺動により上下に移動する。給紙ローラ１０３は、ユーザが原稿１０２を原稿トレイ１０１に載置する作業を阻害しないように、給紙時以外は、ホームポジションである上方に待避している。給紙ローラ１０３は、給紙時に下降して原稿トレイ１０１上の原稿１０２に当接して回転する。給紙ローラ１０３の回転により、原稿トレイ１０１上の原稿１０２が搬送経路１３０に取り込まれる。分離搬送ローラ１０４と分離搬送従動ローラ１０５とは、搬送経路１３０を挟んで対向して配置される。分離搬送従動ローラ１０５は、分離搬送ローラ１０４側に押圧されており、分離搬送ローラ１０４より僅かに摩擦が少ないゴム材等の樹脂部材で形成される。分離搬送ローラ１０４と分離搬送従動ローラ１０５とは、協働して、給紙ローラ１０３により取り込まれた原稿１０２を１枚ずつ捌いて搬送する。
【００１８】
分離搬送ローラ１０４及び分離搬送従動ローラ１０５の下流側には、搬送経路１３０に給紙された原稿１０２を検知する分離後センサＳ２が設けられる。分離後センサＳ２の下流側には、複数枚の原稿１０２が重なって搬送される重送及び原稿１０２のシート特性を検知するための超音波センサ２０００が設けられる。シート特性には、原稿１０２の坪量や紙種がある。超音波センサ２０００は、超音波発信センサＴ１及び超音波受信センサＴ２を備える。超音波発信センサＴ１と超音波受信センサＴ２とは、搬送経路１３０を挟んで対向する位置に配置される。超音波発信センサＴ１は、搬送経路１３０の方向へ超音波を発信する。超音波受信センサＴ２は、搬送経路１３０の方向からの超音波を受信する。超音波受信センサＴ２が受信する超音波の強度により、原稿１０２の重送の発生やシート特性が検知される。超音波センサ２０００による重送検知方法の詳細は後述する。
【００１９】
超音波センサ２０００の下流側には、レジストローラ１０６及びレジスト従動ローラ１０７が、搬送経路１３０を挟んで対向して配置される。レジストローラ１０６及びレジスト従動ローラ１０７は、静止時に、搬送されてきた原稿１０２の搬送方向先端が突き当てられる。これにより原稿１０２は、ループが生じて搬送方向先端が揃えられる。レジストローラ１０６及びレジスト従動ローラ１０７は、原稿１０２の搬送方向先端が揃えられた後に回転を開始して、原稿１０２を搬送する。
【００２０】
レジストローラ１０６及びレジスト従動ローラ１０７の下流側には、リードローラ１０８及びリード従動ローラ１０９が、搬送経路１３０を挟んで対向して配置される。リードローラ１０８及びリード従動ローラ１０９は、レジストローラ１０６及びレジスト従動ローラ１０７から搬送される原稿１０２を、原稿画像の読取位置へ搬送する。原稿画像の読取位置には、プラテンガイド１１０が、リーダ部１１５側に設けられる流し読みガラス１１６に対向して配置される。原稿１０２は、流し読みガラス１１６とプラテンガイド１１０との間を搬送されながら、原稿画像が読み取られる。原稿画像の読取位置を通過した原稿１０２は、リーダ部１１５側に設けられるジャンプ台１１７により、流し読みガラス１１６からすくい上げられる。
【００２１】
原稿画像の読取位置を通過した原稿１０２は、搬送経路１３０を挟んで対向して配置されるリード排出ローラ１１１及びリード排出従動ローラ１１２へ搬送される。リード排出ローラ１１１及びリード排出従動ローラ１１２は、原稿１０２を下流側に設けられる排紙ローラ１１３へ搬送する。排紙ローラ１１３は、原稿１０２を排紙トレイ１１４に排出する。
【００２２】
リーダ部１１５は、原稿１０２から原稿画像を読み取り、読み取った原稿画像を表す画像データを出力する。そのためにリーダ部１１５は、発光部１１９、受光部１２６、及び発光部１１９から照射されて原稿１０２により反射された光を受光部１２６に導くための光学系を備える。光学系は、ミラー１２０、１２１、１２２及びレンズ１２５を備える。発光部１１９及びミラー１２０は、第１ミラー台１２３に取り付けられている。ミラー１２１、１２２は、第２ミラー台１２４に取り付けられている。
【００２３】
発光部１１９は、例えばランプであり、原稿画像の読取位置に搬送されて流し読みガラス１１６上を通過する原稿１０２に光を照射する。光は原稿１０２により反射され、光学系を介して受光部１２６の受光面に結像される。受光部１２６は、例えばＣＣＤ（Charge Coupled Device）素子が原稿１０２の搬送方向に直交する方向（主走査方向）に配列されるラインセンサであり、受光した反射光を光電変換し、原稿画像を表す電気信号である画像データを出力する。このように発光部１１９及び受光部１２６により、原稿画像が１ライン毎に読み取られる。
【００２４】
リーダ部１１５の自動原稿搬送部１００に対向する面には、上記の流し読みガラス１１６続いて、端部に基準白板１２７を備える原稿台ガラス１１８が設けられる。原稿台ガラス１１８は、自動原稿搬送部１００を用いずに原稿画像を読み取る際に原稿１０２が載置される。第１ミラー台１２３及び第２ミラー台１２４は、原稿台ガラス１１８に対して平行に移動可能である。原稿台ガラス１１８に載置された原稿１０２の全面から原稿画像を読み取る場合、第１ミラー台１２３及び第２ミラー台１２４が移動することで原稿１０２の全面が１ライン毎に読み取られる。
【００２５】
（制御ユニット）
図２は、画像読取装置１の動作を制御する制御ユニットの構成図である。制御ユニット１０は、リーダ部１１５、超音波センサ２０００、トレイ原稿有無センサＳ１、分離後センサＳ２、原稿搬送モータ２０２、及び操作部３００に接続される。原稿搬送モータ２０２は、自動原稿搬送部１００内の各種ローラを駆動するための駆動源であり、制御ユニット１０により動作制御される。操作部３００は、各種キーボタンやタッチパネル等の入力装置及びディスプレイ等の出力装置を備えるユーザインタフェースである。操作部３００は、入力装置による指示等の入力内容を制御ユニット１０に送信し、制御ユニット１０による制御により出力装置から情報を出力する。例えば、操作部３００は、制御ユニット１０の制御によりディスプレイに情報を表示する。制御ユニット１０は、ＣＰＵ（Central Processing Unit）２０１、超音波駆動部２０３、増幅器２０４、ＡＤ変換器２０５、及びメモリ２０６を備える。制御ユニット１０は、画像読取装置１に内蔵される。超音波センサ２０００（超音波発信センサＴ１及び超音波受信センサＴ２）と制御ユニット１０とにより、検出装置が構成される。
【００２６】
ＣＰＵ２０１は、画像読取装置１の各部の動作制御を実行する。ＣＰＵ２０１は、リーダ部１１５の動作を制御して、原稿１０２から原稿画像を読み取る。ＣＰＵ２０１は、トレイ原稿有無センサＳ１及び分離後センサＳ２から検知結果を取得する。ＣＰＵ２０１は、超音波センサ２０００の動作を制御して、原稿１０２の重送やシート特性を検知する。ＣＰＵ２０１は、自動原稿搬送部１００の動作を制御して、原稿１０２を原稿トレイ１０１から排紙トレイ１１４まで搬送経路１３０を介して搬送させる。ＣＰＵ２０１は、ＡＤ変換器２０５によるＡＤ変換のタイミング制御を行う。
【００２７】
ＣＰＵ２０１は、分離後センサＳ２が原稿１０２を検知してから原稿搬送モータ２０２を駆動させるクロックが所定数カウントされると、超音波駆動部２０３にバースト信号を送信する。このバースト信号は、超音波発信センサＴ１の発信制御を行うための制御信号であり、超音波発信センサＴ１及び超音波受信センサＴ２の共振周波数に近い周波数、例えば３００［ｋＨｚ］の信号である。このバースト信号を以下、「発信制御信号」という。発信制御信号は、例えば、一定時間に渡る数周期分の３００［ｋＨｚ］のパルス信号である。発信制御信号は所定の時間間隔で発信される。１回の発信制御信号（バースト信号）のパルス数（周期の数）は、可変である。
【００２８】
超音波駆動部２０３は、ＣＰＵ２０１から受信する発信制御信号を、超音波発信センサＴ１を駆動するための制御信号である超音波パルス信号に変換する。超音波パルス信号は、超音波発信センサＴ１の駆動に必要な電圧のバースト信号である。超音波発信センサＴ１は、超音波駆動部２０３から超音波パルス信号を受信し、超音波パルス信号に応じたバースト波である超音波を超音波受信センサＴ２に向けて発信する。超音波発信センサＴ１から発信された超音波は、原稿１０２を透過して、超音波受信センサＴ２に受信される。超音波受信センサＴ２は、受信した超音波の強度に応じたアナログ電気信号である出力信号を増幅器２０４に送信する。この出力信号を、以下「超音波受信信号」という。なお、搬送経路１３０上の超音波センサ２０００の検知範囲に原稿１０２が存在しない場合、超音波発信センサＴ１が発信した超音波がそのまま超音波受信センサＴ２に受信される。
【００２９】
増幅器２０４は、超音波受信センサＴ２から受信した超音波受信信号を増幅して出力する。超音波発信センサＴ１と超音波受信センサＴ２との間を原稿１０２が通過する際に超音波発信センサＴ１から発信された超音波は、超音波受信センサＴ２に到達するまでに減衰して、微弱になる。超音波受信センサＴ２から出力される超音波受信信号の振幅も超音波の強度に応じて小さくなる。増幅器２０４は、このような微弱な超音波受信信号を、重送検知やシート特性の検知が可能な振幅に増幅する。
ＡＤ変換器２０５は、増幅器２０４によって増幅されたアナログ電気信号である超音波受信信号を、ＣＰＵ２０１により指示されるタイミングでデジタル信号に変換して、ＣＰＵ２０１へ送信する。    
増幅器２０４及びＡＤ変換器２０５の詳細については後述する。
【００３０】
ＣＰＵ２０１は、ＡＤ変換器２０５から取得したデジタル変換された超音波受信信号により、超音波受信センサＴ２が受信した超音波の強度を表す信号レベル（振幅）を決定する。ＣＰＵ２０１は、決定した信号レベルに基づいて原稿１０２の重送及びシート特性を検知する。ＣＰＵ２０１は、重送を検知した場合に、原稿搬送モータ２０２を停止する。メモリ２０６は、ＣＰＵ２０１が決定した信号レベルを保存する。また、メモリ２０６は、超音波センサ２０００の各種設定値を格納する。具体的には、メモリ２０６は、バースト信号のパルス数、超音波の振幅、発信周波数、超音波の発信時間間隔等の設定値の情報を格納する。ＣＰＵ２０１は、メモリ２０６に保持された各種設定値に基づいて、検知処理を行う。
【００３１】
（超音波センサ）
図３は、超音波センサ２０００の説明図である。本実施形態では、超音波発信センサＴ１及び超音波受信センサＴ２は、搬送経路１３０に対して垂直な状態から所定の角度をつけた状態で取り付けられている。搬送経路１３０に対して垂直な状態に超音波発信センサＴ１及び超音波受信センサＴ２を取り付ける場合、原稿通紙時に、超音波が超音波受信センサＴ２と原稿１０２との間で反射を繰り返すことがある。これは残響となり、超音波受信センサＴ２の受信結果に影響し、重送検知及びシート特性検知の精度に影響する。そのために本実施形態は、超音波発信センサＴ１及び超音波受信センサＴ２を搬送経路１３０に対して垂直な状態から所定の角度をつけた状態で取り付け、残響の検知精度への影響を抑制している。
【００３２】
（重送検知）
図４は、超音波センサ２０００による重送検知の説明図である。図４（ａ）は、超音波センサ２０００の検知範囲内に原稿１０２が無い場合の超音波パルス信号及び超音波受信信号を表す。図４（ｂ）は、超音波センサ２０００の検知範囲内に原稿１０２が１枚搬送される場合の超音波パルス信号及び超音波受信信号を表す。図４（ｃ）は、超音波センサ２０００の検知範囲内に原稿１０２が重送される場合の超音波パルス信号及び超音波受信信号を表す。超音波パルス信号と超音波受信信号との時間差は、超音波発信センサＴ１が超音波を発信してから超音波受信センサＴ２が超音波を受信するまでの超音波到達時間である。
【００３３】
原稿１０２が検知範囲内に無い場合（図４（ａ））と原稿１０２が検知範囲内に１枚搬送される場合（図４（ｂ））とを比較すると、超音波が原稿１０２を透過することで大きく減衰することが分かる。複数枚の原稿１０２が重送されることで、原稿を透過する超音波の減衰量が更に大きくなる（図４（ｃ））。これにより、単送（原稿１０２の１枚搬送）時と、重送時とで、超音波受信信号の振幅に差が発生することが分かる。ＣＰＵ２０１は、この超音波受信信号の振幅に応じて重送を検知することができる。
なお、超音波は、原稿１０２の厚みや種類等のシート特性によっても減衰量が異なる。しかし、原稿１０２のシート特性の違いによる減衰量の変動は、原稿の枚数（単送、重送）の減衰量の変動に比べて圧倒的に小さい。そのために、シート特性の違いによらず、原稿１０２の重送は検知可能である。
【００３４】
（超音波受信信号処理）
図５は、超音波受信信号の処理の説明図である。図５では、増幅器２０４及びＡＤ変換器２０５の構成の詳細を示している。増幅器２０４は、超音波受信センサＴ２から取得する微弱な超音波受信信号を複数の増幅度で増幅するために、複数段の増幅器により構成される。本実施形態では、増幅器２０４は、２段構成であり、第１反転増幅器５０１及び第２反転増幅器５０２を備える。ＡＤ変換器２０５は、増幅器２０４が備える増幅器の数に応じたＡＤ変換器により構成される。本実施形態では、増幅器２０４が２段構成であるために、ＡＤ変換器２０５は、第１ＡＤ変換器５０３及び第２ＡＤ変換器５０４を備える。
【００３５】
第１反転増幅器５０１で増幅された超音波受信信号は、第１ＡＤ変換器５０３に入力される。第１反転増幅器５０１及び第２反転増幅器５０２で増幅された超音波受信信号は、第２ＡＤ変換器５０４に入力される。超音波発信センサＴ１から超音波受信センサＴ２へ印加される超音波の減衰量は、周囲環境により変動する。重送検知及びシート特性検知を正確に行うためには、周囲環境の変動を補正する必要がある。ＣＰＵ２０１は、この補正を、原稿１０２が無い状態で行う必要がある。そのためにＣＰＵ２０１は、原稿１０２が超音波センサ２０００の検知範囲内に有る紙有りモードと、検知範囲内に無い状態の紙無しモードとで、増幅器２０４の増幅率を変更する。また、ＡＤ変換器２０５も、紙有りモードと紙無しモードとで、第１ＡＤ変換器５０３と第２ＡＤ変換器５０４とを使い分ける。
【００３６】
上述したように、原稿１０２の有無により、超音波の減衰量が大きく異なる。そのために同じ増幅率で超音波受信信号を増幅して測定しようとすると、正確な測定ができないことがある。例えば、超音波受信信号は、振幅が大きい場合に、増幅器２０４の出力電圧範囲を超える或いはＡＤ変換器２０５の入力電圧範囲を超えて飽和することで、正確に測定されない。或いは超音波受信信号は、振幅が小さい場合に、暗ノイズに埋もれてしまい正確に測定されない。
【００３７】
また紙無しモード時の補正は、原稿１０２の通紙直前に行われることが望ましい。これは、原稿通紙時の検出時と超音波センサ２０００の周囲温度、超音波受信センサＴ２及び超音波発信センサＴ１のメカ的相対位置がほぼ同一での状態が成立しているため、高い精度での補正が可能となるためである。
【００３８】
図６は、超音波受信信号の振幅算出処理の説明図である。
ＡＤ変換器２０５は、ＣＰＵ２０１から受信するＡＤ変換の開始を指示するトリガ信号に応じて、増幅器２０４で増幅された超音波受信信号を、離散的にデジタル信号としてサンプリングする。離散的にサンプリングを行う範囲は、超音波受信信号の波形の１周期分の期間（本実施形態では３００［ＫＨｚ］で超音波を発信するので１周期は３．３マイクロ秒）である。サンプリングの開始のタイミングは、超音波受信信号の振幅が最大となるタイミングである。このタイミングは、予め実験的に当該超音波センサ２０００の超音波受信センサＴ２が受信する超音波の振幅が最大になるタイミングを測定することで決定される。サンプリングの開始のタイミングの設定値は、メモリ２０６に格納される。
【００３９】
超音波受信信号の振幅をできるだけ正確に検知するために、サンプリングの間隔は超音波の駆動周期に対して十分に小さくする必要がある。本実施形態では３００［ＫＨｚ］で超音波が発信されるため、超音波受信信号の周期が３．３マイクロ秒である。ＡＤ変換器２０５は、この周期に対して例えば８回のサンプリングを行うため０．４１マイクロ秒の間隔でサンプリングを行う。このようにＡＤ変換器２０５は、超音波の発信周期に対して十分に小さい間隔で超音波受信信号のサンプリングを行い、その中の最小値と最大値との差分をとることで超音波受信信号の１波分の振幅を取得することができる。
【００４０】
図６の例では、ＡＤ変換器２０５は、超音波受信信号をＡ〜Ｈのポイントでサンプリングを行う。これによりＡＤ変換器２０５は、Ａ〜Ｈのポイントの超音波受信信号の信号レベルを取得する。超音波受信信号の振幅は、これらの信号レベルに応じて、以下の式で表される。
(超音波受信信号の振幅)＝MAX(A, B, C, D, E, F, G, H)-MIN(A, B, C, D, E, F, G, H)
【００４１】
図６では、超音波受信信号の最小値がポイントＡ、最大値がポイントＥの信号レベルである。そのために超音波受信信号の振幅は以下の式で表される。
（超音波受信信号の振幅）＝（ポイントＥの信号レベル）−（ポイントＡの信号レベル）
【００４２】
超音波パルス信号による超音波発信センサＴ１の駆動間隔（図６のバースト波間隔）が短いほどサンプリング時間が短くなり、１回の重送検知に必要な時間を短くすることができる。しかし、バースト波による超音波発信センサＴ１の駆動間隔が短い場合、残響が超音波受信信号の波形に影響する。バースト波による超音波発信センサＴ１の駆動間隔が短い場合、以前のバースト波により発信された超音波が残響となり、超音波受信センサＴ２は、以前に発信された超音波と今回発信された超音波とを合成した超音波を受信する。これにより超音波受信センサＴ２が「検知すべき超音波」と前のバースト波による「残響」とが合成された超音波に応じた超音波受信信号を出力する。そのために、正確な重送検知ができなくなる。従って、超音波パルス信号のバースト波による超音波発信センサＴ１の駆動間隔は、残響の影響が十分に収束するように設定される必要がある。バースト波による超音波発信センサＴ１の駆動間隔の詳細については後述する。
【００４３】
（バースト波の波数）
図７は、バースト波の波数と超音波受信信号の信号レベル（電圧レベル）の関係説明図である。超音波発信センサＴ１は、圧電素子を内蔵する。超音波発信センサＴ１は、バースト波である超音波パルス信号が入力されることで、圧電素子に電気エネルギーが供給され、超音波を発信する。超音波パルス信号の波数が多くなることは、圧電素子に供給されるエネルギーを高めることに相当する。圧電素子に供給されるエネルギーが高くなることで、発信される超音波の強度が高められる。その結果、超音波を受信する超音波受信センサＴ２から出力される超音波受信信号の信号レベルが高くなる。
【００４４】
しかし、波数を一定数以上にすると、超音波受信信号の信号レベルは、波数に対する応答性が鈍くなり、飽和する。これは、圧電素子が振動可能な性能の限界に到達するためである。本実施形態では、超音波パルス信号の波数を７以下に設定する。図７に示す通り、超音波パルス信号の波数が７以下であれば、超音波受信信号の信号レベルの波数に対する応答性が良好であるためである。
【００４５】
（超音波発信センサの駆動間隔）
超音波パルス信号（バースト波）による超音波発信センサＴ１の駆動間隔の詳細について説明する。図８は、バースト波である超音波パルス信号の波数と残響の関係の説明図である。超音波発信センサＴ１から放出された超音波は、周囲の部材に反射して空間内に残響として残る。しかし、次第にエネルギーが減衰して、残響はやがて消える。
【００４６】
図８（ａ）は、超音波パルス信号の波数が５波のときの超音波受信信号を例示する。図８（ａ）の例では、超音波発信センサＴ１の駆動開始から残響の影響が一定レベル以下になるまでの時間は、６００マイクロ秒である。なお、本実施形態では、超音波発信センサＴ１の駆動開始から残響の影響が一定レベル以下になるまでの時間を「整定時間」という。
【００４７】
図８（ｂ）は、超音波パルス信号の波数が３波のときの超音波受信信号を例示する。超音波パルス信号波の波数が３波になることで、超音波発信センサＴ１から放出される超音波のエネルギーが５波のときよりも小さくなる。超音波受信信号の信号レベルも、５波のときよりも小さくなる。超音波が周囲空間で反射され、残響として残り続ける時間も、５波のときよりも短くなる。図８（ｂ）の例では、整定時間は、４５０マイクロ秒で、５波のときよりも１５０マイクロ秒短くなる。
【００４８】
以上のように、バースト波（超音波パルス信号）の波数が少なくなるほど、残響の影響が低減する。そのために超音波発信センサＴ１の駆動間隔を短く設定することができる。
【００４９】
（重送検知時と坪量検知時の超音波受信信号の信号レベル）
以下、シート特性として原稿１０２の坪量を検知する場合について説明する。図９は、重送検知時と坪量検知時の超音波受信信号の信号レベルの例示図である。図９（ａ）は、１枚の原稿１０２を搬送させた場合で、シートの坪量と超音波受信信号の信号レベルとの関係を、超音波パルス信号（バースト波）の波数毎に例示する。ここでは、超音波パルス信号の波数が５波、４波、３波のときの坪量と信号レベルとの関係を表す。
【００５０】
超音波パルス信号の波数が５波の場合、坪量の大きいシートは、超音波受信信号の信号レベルの差分が比較的リニアになる。つまり、超音波受信信号の信号レベルから、搬送されるシートの坪量が正確に判別可能である。しかし、坪量が所定値以下のシートは、シートに対して印加される超音波の強度が大きくなる。そのために、超音波受信信号の信号レベルは、限界値にかかって飽和する。つまり、坪量の小さいシートは、超音波受信信号の信号レベルから判別困難である。
【００５１】
超音波パルス信号の波数を少なくすることでシートに印加される超音波の強度が下がり、坪量の小さいシートであっても、超音波受信信号の信号レベルに差が生じる。例えば、超音波パルス信号の波数が３波の場合、５波の場合よりも坪量の小さいシートに対する超音波受信信号の信号レベルに差が生じる。そのために、超音波受信信号の信号レベルから、搬送されるシートの坪量が判別可能である。つまり、坪量検知には、超音波パルス信号の波数が少ない方がよい。
【００５２】
図９（ｂ）は、超音波パルス信号（バースト波）の波数を固定してシートの坪量を変化させたときの、単送の場合と重送の場合の超音波受信信号の信号レベルを例示する。重送検知の場合、シートが重送されているか否かの検知が目的である。重送の場合、シートの坪量に関係なく、超音波受信信号の信号レベルが一定である（図４（ｃ）参照）。単送の場合、超音波パルス信号の波数を少なく設定して重送検知を行うと、超音波受信信号の信号レベルが低くなり、閾値に対してのラチチュードが小さくなる。これは、単送であるにもかかわらず重送と誤検知する要因となる。つまり、重送検知には、超音波パルス信号の波数が多い方がよい。
【００５３】
以上のことから、重送検知時の超音波受信信号により坪量検知を行う場合、坪量の低い領域のシートの判別が困難になる。そのため、坪量検知と重送検知とで、超音波パルス信号（バースト波）の波数を変えることは有効である。
【００５４】
（重送検知と坪量検知のタイミング）
図１０は、重送検知と坪量検知のタイミングの説明図である。図１０（ａ）は、シートの搬送方向と、超音波の印加動作の説明図である。図１０（ｂ）は、搬送されるシートに対する超音波の印加位置を表す。重送検知時の超音波の印加位置（検知位置）は、黒の矩形で表される。坪量検知時の超音波の印加位置（検知位置）は、黒丸で表される。図１０（ｃ）は、重送検知と坪量検知とを交互に行う場合の超音波パルス信号と超音波受信信号との波形を例示する。
【００５５】
シートが重送されていることを検知した場合、シートの搬送がすぐに停止される必要がある。そのために重送検知は、シートが重なった部分を確実に検知できるように、シートの先端から断続的に繰り返し行われる。断続的に重送検知を行うことで、連れ重送の検知も可能である。坪量は、重送していないと判定されたときに測定されるべきパラメーターである。そのために坪量検知は、必ず重送検知の後に行われる。シートの坪量は、１枚のシートの中では著しく変化することはないために、シートの先端から後端まで、断続的に検知される必要は無い。よって、坪量検知はシートの先端の数か所（２か所もしくは３か所）で行われる。複数個所で坪量検知を行う理由は、１か所あたりの検知結果のばらつきを加味して処理を行い、坪量を正確に判定するためである。
【００５６】
坪量検知をシートの先端で数回行い、且つ坪量検知時の超音波パルス信号の波数を重送検知のときの波数よりも下げることで、重送検知から次の重送検知までにかかる時間を極力抑えることができる。重送検知と坪量検知とを交互に行い且つ坪量検知をシートの先端から後端部で断続的に行う場合に比べて、重送検知と坪量検知とを交互に行い且つシートの先端部の数か所のみ坪量検知する場合の方が、超音波センサ２０００として分解能の低下が抑制される。本実施形態では、重送検知と坪量検知とを、シートの先端部分で２回繰り返して行った後に、重送検知を断続的に行う。
【００５７】
（坪量検知）
坪量検知は、ＡＤ変換器２０５によりデジタル値に変換された超音波受信信号を用いて行われる。ＣＰＵ２０１は、例えばメモリ２０６に予め格納されるテーブルを参照して、超音波受信信号のデジタル値に応じた坪量を検知する。図１１は、このような坪量検知のためのテーブルの例示図である。このテーブルは、シートの坪量と超音波受信信号のデジタル値との関係を示す。デジタル値が高いほど、超音波受信信号の振幅が大きいことを示し、デジタル値が低いほど、超音波受信信号の振幅が小さいことを示す。超音波受信信号の振幅が大きいほど、シートの坪量が小さくなる。超音波受信信号の振幅が小さいほど、シートの坪量が大きくなる。
【００５８】
ＣＰＵ２０１は、シートの坪量検知時に、超音波受信センサＴ２から出力される超音波受信信号のデジタル値をＡＤ変換器２０５から取得する。ＣＰＵ２０１は、取得した超音波受信信号のデジタル値に応じた坪量範囲を、メモリ２０６に格納されたテーブルから探索する。ＣＰＵ２０１は、探索結果の坪量範囲を、シートの坪量範囲として特定する。以上のように、シートの坪量が決定される。例えば、超音波受信信号のデジタル値が「２００」の場合、ＣＰＵ２０１は、テーブルによりシートの坪量範囲を１２０〜１７９［ｇｓｍ］に特定する。ＣＰＵ２０１は、少なくとも１２０〜１７９［ｇｓｍ］の坪量のシートが搬送されたと判定する。
【００５９】
（重送及び坪量検知処理）
図１２は、以上のような画像読取装置１による原稿１０２の重送及び坪量の検知処理を表すフローチャートである。画像読取装置１は、原稿１０２を搬送し、該原稿１０２が超音波センサ２０００の検知範囲を通過するときに、該原稿１０２の重送及び坪量の検知を行う。この処理は、例えば原稿１０２の読取処理に際して行われる。
【００６０】
ＣＰＵ２０１は、操作部３００から原稿１０２の読取開始信号を受信することで処理を開始する（Ｓ１０１）。ＣＰＵ２０１は、読取開始信号に応じて、原稿１０２の読取開始前処理を開始する。ＣＰＵ２０１は、まず、紙無しモードで動作を始める。ＣＰＵ２０１は、原稿１０２の搬送を開始する前に、検知範囲に原稿１０２が無い状態で超音波発信センサＴ１に超音波を発信させる（Ｓ１０２）。これにより超音波受信センサＴ２は、原稿１０２による減衰の無い超音波を受信して、受信した超音波の強度に応じた図４（ａ）に例示するような超音波受信信号を出力する。なお、ＣＰＵ２０１は、重送検知時と同じ強度で超音波発信センサＴ１に超音波を発信させる。ＣＰＵ２０１は、紙無しモード時の超音波受信信号のデジタル値（「超音波受信レベルＡＤ＿０」）を検知する（Ｓ１０３）。ＣＰＵ２０１は、検知した超音波受信レベルＡＤ＿０に応じて、重送判定用の閾値ＡＤ＿ｔｈを設定する（Ｓ１０４）。ＣＰＵ２０１は、坪量検知の回数をカウントする坪量検知カウンタＮを初期化して「０」に設定する（Ｓ１０５）。以上によりＣＰＵ２０１は、原稿１０２の読取開始前処理を終了して、紙無しモードから紙有りモードへ動作モードを切り替える。
【００６１】
ＣＰＵ２０１は、紙有りモードに切り替わると、原稿搬送モータ２０２により原稿１０２を原稿トレイ１０１から搬送経路１３０に給紙して、原稿１０２の搬送を開始する（Ｓ１０６）。ＣＰＵ２０１は、重送検知用の超音波パルス信号の波数ｋを設定する（Ｓ１０７）。本実施形態では、ＣＰＵ２０１は、波数ｋ＝５に設定する。重送検知用の超音波パルス信号の波数ｋは、超音波発信センサＴ１及び超音波受信センサＴ２の感度やセンサ間距離の取り付け公差により決定される値であり、「５」に限ったものではない。
【００６２】
ＣＰＵ２０１は、分離後センサＳ２が原稿１０２を検知するタイミングに応じて、超音波駆動部２０３により波数ｋ＝５に応じた強度の超音波を超音波発信センサＴ１から発信させる（Ｓ１０８）。この超音波は、重送検知用の超音波である。これにより超音波受信センサＴ２は、原稿１０２を透過して減衰した超音波を受信し、受信した超音波の強度に応じた図４（ｂ）又は図４（ｃ）に例示するような重送検知用の超音波受信信号を出力する。ＣＰＵ２０１は、重送検知用の超音波受信信号のデジタル値（「超音波受信レベルＡＤ＿１」）を検知する（Ｓ１０９）。
【００６３】
ＣＰＵ２０１は、検知した超音波受信レベルＡＤ＿１と閾値ＡＤ＿ｔｈとを比較して、原稿１０２が重送されているか否かを判定する（Ｓ１１０）。超音波受信レベルＡＤ＿１が閾値ＡＤ＿ｔｈより小さい場合（Ｓ１１０：N）、ＣＰＵ２０１は、原稿１０２が重送されていると判定する。この場合、ＣＰＵ２０１は、原稿搬送モータ２０２の駆動を停止して、原稿１０２の搬送を停止する（Ｓ１２０）。原稿１０２の搬送停止後にＣＰＵ２０１は、操作部３００のディスプレイ等により、ユーザに対して原稿１０２が重送されていることを報知して原稿１０２の読取処理を終了する。
【００６４】
超音波受信レベルＡＤ＿１が閾値ＡＤ＿ｔｈより大きい場合（Ｓ１１０：Y）、ＣＰＵ２０１は、原稿１０２が単送されていると判定する。この場合、ＣＰＵ２０１は、坪量検知カウンタＮが３未満であるか否かを判定する（Ｓ１１１）。坪量検知カウンタＮが３未満の場合（Ｓ１１１：Y）、ＣＰＵ２０１は、原稿１０２の坪量検知を開始する。
【００６５】
ＣＰＵ２０１は、坪量検知のために、まず、坪量検知用の超音波パルス信号の波数ｋを設定する（Ｓ１１２）。本実施形態では、ＣＰＵ２０１は、波数ｋ＝３に設定する。ＣＰＵ２０１は、超音波駆動部２０３により波数ｋ＝３に応じた強度の超音波を超音波発信センサＴ１から発信させる（Ｓ１１３）。この超音波は、坪量検知用の超音波である。これにより超音波受信センサＴ２は、原稿１０２を透過して減衰した超音波を受信し、受信した超音波の強度に応じた坪量検知用の超音波受信信号を出力する。ＣＰＵ２０１は、坪量検知用の超音波受信信号のデジタル値（「超音波受信レベルＡＤ＿２」）を検知する（Ｓ１１４）。ＣＰＵ２０１は、メモリ２０６に格納するテーブルを参照し、超音波受信レベルＡＤ＿２に対応する坪量範囲を特定する（Ｓ１１５、Ｓ１１６）。坪量範囲を特定したＣＰＵ２０１は、坪量検知カウンタＮに１加算して坪量検知を終了する（Ｓ１１７）。Ｓ１１２〜Ｓ１１７が１回の坪量検知のルーチンとなる。
【００６６】
坪量検知カウンタＮが３以上の場合（Ｓ１１１：N）、或いは１回の坪量検知のルーチンが終了した場合、ＣＰＵ２０１は、分離後センサＳ２が原稿１０２を検知し続けているか否かを確認する（Ｓ１１８）。分離後センサＳ２が原稿１０２を検知し続けている場合（Ｓ１１８：Y）、ＣＰＵ２０１は、重送検知を繰り返し行うためにＳ１０７以降の処理を繰り返し行うことになる。分離後センサＳ２が原稿１０２を検知していない場合（Ｓ１１８：N）、即ち、分離後センサＳ２により原稿の後端が検知されると、ＣＰＵ２０１は、原稿トレイ１０１に次に読み取る原稿１０２が有るか否かを確認する。そのためにＣＰＵ２０１は、トレイ原稿有無センサＳ１の検知結果を確認する（Ｓ１１９）。原稿トレイ１０１に次に読み取る原稿が有る場合（Ｓ１１９：N）、ＣＰＵ２０１は、次の原稿１０２に対する重送検知を行うためにＳ１０２以降の処理を行うことになる。原稿トレイ１０１に次に読み取る原稿が無い場合（Ｓ１１９：Y）、ＣＰＵ２０１は、重送及び坪量検知処理を終了する。その後、ＣＰＵ２０１は、原稿１０２の読取処理を行う。
【００６７】
以上のように本実施形態の画像読取装置１は、１組の超音波センサ２０００によりシートの重送検知及び坪量等のシート特性検知が可能である。シート特性検知の場合、重送検知時よりも発信する超音波の強度が弱く設定される。具体的には、超音波を発信させるためのバースト波の波数が、重送検知時よりもシート特性検知時の方が少なくなる。これにより超音波センサ２０００は、重送検知時の分解能の低下を極力押させて、薄紙から厚紙までのシートのシート特性（坪量）を正確に検知可能になる。
【００６８】
検知した坪量に応じて、ＣＰＵ２０１は、以下のような制御を行うことができる。ＣＰＵ２０１は、坪量に応じてシートを搬送するローラ等のメカ部材の駆動機構であるアクチュエータ（具体的にはステッピングモータ）の電流値を増減制御する。これにより、坪量に応じたアクチュエータの最適設計が実現可能である。アクチュエータの電流値を一律同じ値で制御する場合に比べ、坪量毎に最適な電流値でアクチュエータを制御するために、電力削減が可能となる。この制御は、坪量が大きいシートに対して有効である。また、ＣＰＵ２０１は、発光部１１９が照射する光量を調整して、読み取った画像の不良（具体的には、光量が強すぎるために、裏面の画像まで読んでしまう現象）を抑制することができる。この制御は、坪量が小さいシートに対して有効である。
【００６９】
本実施形態では原稿給送装置を有する画像読取装置１の重送検知、坪量検知について説明したが、これ以外にも、シートを搬送する機構を備える装置であればどのような装置であっても本実施形態を適用可能である。例えば、超音波センサ２０００を複写機や複合機等の画像形成装置のシートの搬送経路に設けることで、本実施形態を適用可能である。
【図１】
2019059606.tif 000003
【図２】
2019059606.tif 000004
【図３】
2019059606.tif 000005
【図４】
2019059606.tif 000006
【図５】
2019059606.tif 000007
【図６】
2019059606.tif 000008
【図７】
2019059606.tif 000009
【図８】
2019059606.tif 000010
【図９】
2019059606.tif 000011
【図１０】
2019059606.tif 000012
【図１１】
2019059606.tif 000013
【図１２】
2019059606.tif 000014